(57)【特許請求の範囲】
【請求項１】
内視鏡本体と、
前記内視鏡本体に対して移動自在に設けられ、光源を有するバッテリ型光源と、
前記バッテリ型光源に設けられ、前記バッテリ型光源の内部に収納されたバッテリの残容量を表示するための残量表示部を駆動する回路基板と、
前記バッテリ型光源に収容されるバッテリと電気的に接続可能な第１の接続片と、
前記光源と電気的に接続し、前記バッテリ型光源の移動操作に応じて前記第１の接続片と接触する位置と非接触な位置との間で前記第１の接続片に対して相対的に移動する接点部材と、
前記回路基板と電気的に接続し、前記接点部材が前記第１の接続片と接触する位置に配置されたときに前記接点部材と接触する位置に設けられ、前記第１の接続片に対して前記接点部材を介して電気的に接続する第２の接続片と、
を具備したことを特徴とする内視鏡。
【発明の詳細な説明】
【０００１】
【発明の属する技術分野】
本発明は、携帯使用に好適でかつ電源スイッチ操作が容易な内視鏡に関する。
【０００２】
【従来の技術】
内視鏡は、周知の通り、医療用分野あるいは工業用分野で広く使用されている。この内視鏡は、診断する部位や検査対象の部位が生体やプラント等の内部であることから、それら内部を照明する手段が不可欠である。このため、一般的な内視鏡では、内視鏡の外部装置として光源装置を設け、この光源装置内のランプの照明光を内視鏡に設けたライトガイドファイバに導光し、このライトガイドファイバで導光された照明光を挿入部の先端側の照明窓から出射して、診断部位や検査対象部位を照明するようにしていた。
【０００３】
上述した光源装置は、一般的には、商用電源から供給される電力によって光源装置内部のランプを点灯させていた。しかしながら、上記光源装置を備えた内視鏡の場合には、商用電源がない場所での使用が非常に困難であった。
【０００４】
そこで、商用電源を得ることが困難な場所で使用が可能な、あるいは、緊急時のときなどに簡単に携帯できる内視鏡が要求されていた。このような要求を満足するものとしては、例えば特開平９−２２４９０６号公報や特開平１０−２２１９１５号公報に記載されている内視鏡がある。かかる従来の内視鏡は、乾電池等のバッテリを電源とした小型のバッテリ型光源を内視鏡操作部に着脱自在に取り付けられるようにしたものである。
【０００５】
かかる従来の内視鏡における前者のバッテリ型光源（特開平９−２２４９０６号公報）にあっては、電源スイッチのオンオフ状態が明確ではなく、電源スイッチを切り忘れてしまうなどの不都合が発生することがあった。
【０００６】
このような不都合を解消するために、従来の内視鏡における後者のバッテリ型光源（特開平１０−２２１９１５号公報）にあっては、電源スイッチのオンオフ状態を明確にできるように構成されていた。すなわち、後者のバッテリ型光源の場合には、照明ランプを装着したランプホルダが光源本体に着脱自在になっていて、前記ランプへの電力の供給・不供給については前記ランプホルダを構成する電気接点部にバッテリ電極を直接接触させることにより行うようにしたものであるので、バッテリ型光源の点灯状態あるいは消灯状態が外観から一見して識別できることになる。
【０００７】
【発明が解決しようとする課題】
しかしながら、後者の従来のバッテリ型光源にあっては、確かにランプの点灯・消灯状態が外観から一見して識別可能なものの、バッテリの残容量を検出し、それを表示する機能がないため、次回の使用のときにバッテリ切れになって使用不能になることがあった。
また、バッテリの残容量を検出をする手段を構成する場合に、ランプ消灯状態（バッテリの放電停止状態）でバッテリの残容量を検出するようにすると、当該バッテリの自己復帰により正しいエネルギ残量が検出できないので、ランプ点灯中（バッテリの放電中）のバッテリ電圧を測定する必要がある。このため、電源スイッチがオンになったときに、バッテリの残容量を検出を行なうようにする必要があった。
【０００８】
本発明は、上述した事情に鑑みてなされたものであり、電源スイッチが投入された状態で光源装置のバッテリの残容量を表示可能とするとともに、少ない部品点数かつ簡単な構造でもってバッテリの残容量の表示と照明ランプの点灯とを同時に行うことができる内視鏡を提供することを目的としている。
【０００９】
【課題を解決するための手段】
本発明の内視鏡は、内視鏡本体と、前記内視鏡本体に対して移動自在に設けられ、光源を有するバッテリ型光源と、前記バッテリ型光源に設けられ、前記バッテリ型光源の内部に収納されたバッテリの残容量を表示するための残量表示部を駆動する回路基板と、前記バッテリ型光源に収容されるバッテリと電気的に接続可能な第１の接続片と、前記光源と電気的に接続し、前記バッテリ型光源の移動操作に応じて前記第１の接続片と接触する位置と非接触な位置との間で前記第１の接続片に対して相対的に移動する接点部材と、前記回路基板と電気的に接続し、前記接点部材が前記第１の接続片と接触する位置に配置されたときに前記接点部材と接触する位置に設けられ、前記第１の接続片に対して前記接点部材を介して電気的に接続する第２の接続片と、を具備したことを特徴とする。
【００１０】
【発明の実施の形態】
以下、図面を参照して本発明の１実施の形態を具体的に説明する。
図１ないし図１０は本発明の１実施の形態に係り、図１は本発明の内視鏡の全体構成を示す説明図、図２は先端構成部の断面図、図３は操作部とバッテリ型光源を接続するときの位置関係を示す外観図、図４はバッテリ型光源の概略構成を示す斜視図、図５はバッテリ型光源を示す縦断面図、図６は図５中のＣ−Ｃ線に沿う断面図、図７は図５中のＡ−Ａ線に沿う断面図、図８はバッテリ型光源の収納筒と胴部との詳細を説明するための分解斜視図、図９は図５のＢ−Ｂ線に沿う断面図であって、電源スイッチ手段をオフにした状態にしたことを説明する説明図、図１０は図５のＢ−Ｂ線に沿う断面図であって、電源スイッチ手段をオン状態にしたことを説明する説明図である。
【００１１】
図１ないし図３において、内視鏡１は、内視鏡本体１Ａと、バッテリ型光源５とからなる。内視鏡本体１Ａは、可撓性を有する挿入部２と、この挿入部２の後端に形成された操作部３と、この操作部３後端に形成された接眼部４とからなる。前記バッテリ型光源５は、前記操作部３に着脱自在に接続されるようになっている。
【００１２】
前記挿入部２は、先端側から硬質の先端構成部６と、この先端構成部６の後端に隣接して形成され、湾曲自在な湾曲部７と、この湾曲部７の後端に隣接して形成され、可撓性を有する可撓管部８とから構成されている。また、この挿入部２では、操作部３に配設された図示しない湾曲ノブを回動操作し、前記湾曲部７を所望の方向に湾曲できるように構成されている。
【００１３】
前記挿入部２の内部には、図２に示すように診断部位や検査対象部位の光学像を伝送するイメージガイドファイバ１１が挿通されている。この挿入部２の先端部には先端部本体６ａが固定されている。このイメージガイドファイバ１１の先端部分は、対物レンズ１２を介して先端部本体６ａに固定される。このイメージガイドファイバ１１の後端部分は前記接眼部４に内蔵される図示しない接眼レンズの結像位置に固定されている。
【００１４】
先端部本体６ａには、照明光を伝送する図示しないライトガイドファイバが固着されている。このライトガイドファイバの他端は、操作部３に設けられた後述のライトガイド口金に固着されている。照明光は前記バッテリ型光源５からライトガイドファイバを経て前記先端部本体６ａの図示しない照明窓より出射される。
【００１５】
挿入部２内には吸引チャンネル１３が形成され、この吸引チャンネル１３の先端は前記先端部本体６ａに固定されている。この吸引チャンネル１３は、図示しない吸引器と組み合わせて異物を吸引したり、図示しない内視鏡用処置具を挿通して、処置用チャンネルとしても使用される。
【００１６】
また、本実施の形態では、先端部本体６ａの先端部を従来のものよりも細径化してあり、かつ、先端部本体６ａの先端（一端）側に凹部１４を形成している。
すなわち、当該凹部１４は、前記吸引チャンネル１３を先端部本体６ａに固定する従来の位置よりも、さらに先端側に設けられている。この先端部本体６ａの凹部１４に湾曲部被覆部材１５の先端を装着した後に、湾曲部被覆部材１５の先端を糸１６で凹部１４に捲回固定し、さらに糸１６の上に接着材１７を塗布して接着固定されている。また、接着材１７は、図２に示すように、先端部から湾曲部被覆部材１５に至る距離を滑らかな状態になるように塗布されている。これにより、先端部本体６ａの付近の段差をなくすことができる。
【００１７】
前記操作部３側面には、前記バッテリ型光源５が接続部２０を介して着脱自在に接続されるようになっていて、この接続部２０の位置決めピン２１と係合するピン受け部３ａと、接続部本体２２に設けられた照明出射口２３と係合するライトガイド口金３ｂと、取付けネジ２４と螺合する雄ネジ部３ｃが配設されている。前記取付けネジ２４を雄ネジ部３ｃに螺合することにより、前記バッテリ型光源５は内視鏡本体１Ａに着脱自在に取り付けられるよになっている。
【００１８】
次に、図４ないし図８を参照してバッテリ型光源の詳細構成を説明する。
バッテリ型光源５は前記接続部２０を備え、ランプ１０を保持するランプホルダ３０ａ及びこのランプホルダ３０ａを収納するランプホルダ収納部３０ｂからなるランプ収納部３０と、後述のバッテリを収納するバッテリ収納部４０と、残量表示部５０とから構成されている。
前記接続部２０は、操作部３に取り付けるための機構であり、前記接続部本体２２に回動自在に配設された取付けネジ２４と、前記接続部本体２２の外周面の特定位置に配設された指標２５と、前記位置決めピン２１とから構成されている。
【００１９】
前記バッテリ収納部４０は、図４に示すようにバッテリ収納部外装部材４１と、このバッテリ収納部外装部材４１の内周に導電性素材により形成され、乾電池等のバッテリ３１を収納する収納筒４２と、このバッテリ収納部外装部材４１の一端に被着されるバッテリキャップ４３とから構成されている。
このバッテリ収納部外装部材４１の内周には、前記収納筒４２が嵌挿されていて、この収納筒４２上側の外周には、水密リング４４が配設されている（図５参照）。
【００２０】
前記バッテリキャップ４３の内側には、円錐バネ４５と接点部材４６とが一体的に設けられている。この円錐バネ４５は、前記バッテリ３１を負極接点片４７側へ付勢する導電性素材からなり、前記接点部材４６もまた導電性素材からなる。前記バッテリキャップ４３は、前記収納筒４２の上部に配設されたネジ部４８に着脱自在に螺合するようになっている。なお、前記円錐バネ４５によって付勢されたバッテリ３１の負極３１ｂは、導電性の板状バネ材で形成した負極接点片４７に接触している。このときに、負極接点片４７は、バッテリ３１の負極３１ｂの表面の中心部とずれた位置で接触するようになっている。
【００２１】
前記残量表示部５０は、前記バッテリ収納部４０のバッテリ収納部外装部材４１の側面に配設されている。この残量表示部５０は、残量表示発光体５１と、回路部５２と、前記残量表示発光体５１及び回路部５２を覆う透過部材５３とからなる。
【００２２】
前記残量表示発光体５１は、一つまたは複数の発光ダイオード等のような発光体を基板５４の表面に設けることにより構成されている。前記回路部５２は、前記基板５４の裏面に設けられており、バッテリ３１の残容量を検出できる回路である。前記基板５４は絶縁体５５により支持される。導電性の板状バネ材で形成した負極接続片６１は、ビス６２で前記絶縁体５５に固定され、前記基板５４上の負極導電部５４ｂと、前記ランプホルダ３０ａに設けられた負極接点部材６３とを電気的に接続するようになっている。導電性の板状バネ材で形成した正極接続片６４は、導電性素材より形成された導電ビス６５で前記絶縁体５５を介して前記収納筒４２にネジ止めされ、前記基板５４上の正極導電部５４ａと前記収納筒４２を電気的に接続している。なお、前記負極接続片６１はバネ付勢力により前記負極導電部５４ｂに電気的に接触されている。また、前記正極接続片６４はバネ付勢力により前記正極導電部５４ａに電気的に接触されている。また、前記正極接続片６４及び負極接続片６１に対する正極導電部５４ａ及び負極導電部５５ｂの位置は、前記基板５４を前記絶縁体５５に正規の方向に取り付けた時のみ対応する位置関係になっており、前記基板５４の取り付け方向を１８０度間違えた場合は導通しないようになっている。前記残量表示発光体５１はバッテリ電圧の変化に伴い発光体の輝度の明暗や色を変化させて表示したり、バッテリ電圧の高低により点灯／消灯して表示してもよい。また、前記バッテリ収納部外装部材４１の外表面に、前記透過部材５３に合わせてレベルメーター等の図表７０を配設してもよい。さらに、前記透過部材５３は、バッテリ収納部外装部材４１に設けた凹所に配置された前記残量表示発光体５１を透明部材より覆ったものである。
【００２３】
前記ランプ収納部３０は、前記したようにランプホルダ３０ａと、ランプホルダ収納部３０ｂとからなる。前記ランプホルダ３０ａは、前記ランプ１０と、前記負極接点部材６３とを備え、正極接点部材７１と、導電性の接点バネ７２と、導電性のバネ受け部７３と、絶縁部材７４と、ランプホルダ装着ネジ部７５と、ホルダ外装部材７６とを少なくとも具備している。このランプ１０は、負極接点部材６３に螺合されている。前記絶縁部材７４は、前記負極接点部材６３と、正極接点部材７１と、この正極接点部材７１を付勢する導電性の接点バネ７２と、導電性のバネ受け部７３とを一体的に係合固定してなる。前記ホルダ外装部材７６は、前記バネ受け部７３に対して抜け止めピン７７を介して回動自在なランプホルダ装着ネジ部７５に取り付けられる熱伝導性の低い樹脂などで形成されている。また、前記ランプホルダ３０ａは、ランプホルダ収納部３０ｂの胴部７８の後端側に着脱自在に螺合されるようになっている。
【００２４】
ランプホルダ収納部３０ｂは、胴部７８と、その外側に設けられた絶縁材とから構成されている。この胴部７８の前端側には、図５に示すように、ライトガイド口金３ｂが係入する口金接続部８１が設けられている。この胴部７８は、図８に示すように、細長で複数の段部を有する導電性部材で略パイプ状に成形されている。この胴部７８には基端面から基端側太径部８２を通って中央胴部８３まで軸方向に伸びる切り欠き部８４が形成されている。この切り欠き部８４の幅は前記負極接点部材６３よりも広く形成されている。前記胴部７８の基端側太径部８２の内周面には雌ねじ部（図示せず）が形成されている。この雌ねじ部には、前記ランプホルダ３０ａのランプホルダ装着ネジ部７５の外周に形成された雄ねじ部が螺合されるようになっている。
【００２５】
また、前記基端側太径部８２の外周面には、図７に示すように、回転規制リング８５がネジ８６によって固定されている。この回転規制リング８５は外装部材８７の内部に配置されており、この回転規制リング８５の外周面に設ける水密リング８８（図５参照）によって、前記回転規制リング８５と外装部材８７との水密が保持されるようになっている。
【００２６】
前記胴部７８は接続部本体２２の一端面及び回転規制リング８５の一端面で外装部材８７の内周面側に設けられている突き当て面８７ａ，８７ｂを挟持する位置関係で外装部材８７の内部に配設されている。これにより外装部材８７は胴部７８に対して回動自在である。
【００２７】
回転規制リング８５は、略Ｃ字形状をしている（図７参照）。従って、この回転規制リング８５が配置される外装部材８７の内周面には、図７に示すように、前記回転規制リング８５の切り欠き部分が当接する凸状の回転規制部８９が配設されており、回転規制リング８５の回転角度を略９０度にするようになっている。本実施の形態では回転角度が略９０度になるように設定してあるが、前記規制リング８５の切り欠き部の大きさを変化させることにより、任意の回転角度とすることが可能である。
【００２８】
また、前記胴部７８の中央胴部８３には、図８に示すように、前記切り欠き部８４の先端側を形成する拡大開口部９１が形成されている。この拡大開口部９１を含む外周面には、図６に示すように、絶縁体９２が設けられている。この絶縁体９２には、前記切り欠き部８４の幅同幅に切り欠き部が形成されており、絶縁体９２に配設した凸部９２ａが拡大開口部９１に係合し固定されている。
【００２９】
なお、前記口金接続部８１は前記胴部７８に水密リング９３により水密的に固定されており、開口部底部には集光レンズ９４が水密的に接着固定されている。また、口金接続部８１の外周には水密リング９５が配設される。
【００３０】
バッテリ３１が収納されている収納筒４２の端部からは、図８に示すように、接点バネ９６が突出して配設されている。この接点バネ９６は、前記外装部材８７に対して回動自在に配置されている胴部７８の細径胴部９７を挟持する。この細径胴部９７の断面形状は、一対の平面部を形成した略円柱形状である。
【００３１】
次に、上述のように構成したバッテリ型光源の作用を図１ないし図８を基に図９及び図１０を参照して説明する。
バッテリ型光源５のバッテリ収納部４０の収納筒４２にバッテリ３１を収容した後に、バッテリキャップ４３をバッテリ収納部４０に被せ、収納筒４２のネジ部４８にバッテリキャップ４３を螺合して、バッテリキャップ４３を一体化する。このとき、収納筒４２の上部に設けた水密リング４４がバッテリキャップ４３の内周面に密着して水密状態になる。
【００３２】
次に、ランプ収納部３０のランプホルダ３０ａの負極接点部材６３を切り欠き部８４に挿通させる。そして、ランプホルダ装着ネジ部７５を図示しないコイン等を用いて回転させる。すると、ランプホルダ３０ａはランプホルダ収納部３０ｂに収容された状態で一体的に構成されることになる。
【００３３】
ついで、バッテリ型光源５を操作部３に取り付ける操作について説明する。
図３に示すように、バッテリ型光源５に配設された位置決めピン２１と、内視鏡本体の操作部３に配設されたピン受け部３ａを係合させて接続し、雄ネジ部３ｃに取り付けネジ２４を螺合する。
【００３４】
次に、バッテリ型光源５と内視鏡操作部３とが、図９に示すような位置関係にあるとする。このようにバッテリ型光源５と内視鏡操作部３との位置関係からバッテリ型光源５を操作部３に対して図１０に示すような状態に回動させる。すると、胴部７８を軸としてバッテリ収納部４０が動き、図１０の位置まで移動すると負極接点片４７及び負極接続片６１と、負極接点部材６３とが接触し、電気的に導通状態となる。すると、ランプ１０及び残量表示部５０には同時に電力が供給され、ランプ１０が点灯し、残量表示部５０が表示状態となる。
【００３５】
このとき、残量表示部５０の回路部５２は、ランプ１０の点灯状態においてバッテリの残容量を検出し、その検出結果を残量表示発光体５１に送る。これにより、残量表示発光体５１が表示データに基づいて点灯し、バッテリの残容量を知ることができる。
なお、内視鏡の使用後は、ランプを消灯するため、オン状態にしたときの操作とは逆の操作を行えばよい。
【００３６】
本実施の形態によれば、バッテリ型光源５を操作部３に接続しオンにすると、残量表示部５０にバッテリの残容量が表示されるため、使用者に対してバッテリの使用可能な時間を知らしめることができる。
【００３７】
また、本実施の形態によれば、照明ランプ１０と残量表示部５０とに電力の供給・不供給を一つの負極接点部材６３を介して行われることから、電源スイッチ手段を少ない部品点数で、かつ簡単に構成できる。
【００３８】
さらに、本発明の実施の形態によれば、先端部本体６ａにおいて湾曲部被覆部材１５の取り付け位置を吸引チャンネル１３の組付け位置より先端側に設けたため、先端構成部の細径化が可能である。
【００３９】
加えて、本発明の実施の形態によれば、バッテリ型光源５を回動させてスイッチ操作をするため、オン、オフの状態が内視鏡外観から一見して分かる。
【００４０】
また、本発明の実施の形態によれば、スイッチをオン状態にしたまま、ランプホルダ３０ａをランプホルダ収納部３０ｂから取り外して、ランプ１０を交換した後、再び、ランプホルダ収納部３０ｂ内にランプホルダ３０ａを挿入する際に、負極接点部材６３が先に基板側の負極接続片６１に接続され、ついでバッテリ負極側の負極接点片４７の順番で接触して導通するため、ランプ１０が点灯しない状態で残量表示部５０が表示されてしまうことがない。
【００４１】
本発明の実施の形態によれば、基板５４への電源供給を、板状バネを成形した接続片６１，６４にて行うため、配線や半田付けが不要となり、組立作業が簡略化できる。
【００４２】
本発明の実施の形態によれば、電源供給を断続する負極接点片４７と負極接続片６１を板状バネにて形成したため、バッテリ型光源５のスイッチ機構が簡略化でき、寸法の小型化ができる。
【００４３】
本発明の実施の形態によれば、正極接続片６４を導通ビス６５で固定したため、固定と導電を同一部材で行うことができるため、部品点数が削減できる。
【００４４】
本発明の実施の形態によれば、負極接点片４７が負極３１ｂ表面の中心とずれた位置で接触するようにし、バッテリを逆装填した際には導通しないようにしたので、バッテリ逆装填による故障を防止できる。
【００４５】
本発明の実施の形態によれば、基板５４の負極導電部５４ｂと正極導電部５４ａとを、基板を誤って１８０度逆に取り付けたときには、正・負接続片６１，６４に接触しない位置に配置したため、誤組立が防止できる。
【００４６】
なお、上記実施の形態では、回路部５２はバッテリ電圧を基に検出したデータによって残量表示発光体５１を点灯させていたが、例えばＡ／Ｄコンバータを用いて、数値化したバッテリの残容量の情報を、一つの発光ダイオードで点灯させたり、あるいは、複数の残量表示発光体５１によって表示してもよい。また、前記残量表示発光体５１の代わりに、図示しない液晶パネルで残量表示部５０を形成してもよい。
【００４７】
また、本発明は、以上述べた実施の形態のみに限定されるものではなく、発明の要旨を逸脱しない範囲で種々変形可能である。
【００４８】
［付記］
（付記項１）細長な挿入部を有する内視鏡本体に着脱自在に接続し、この内視鏡本体に照明光を供給する照明ランプ及びこの照明ランプに電力を供給するバッテリを有するバッテリ型光源を備えた内視鏡において、
前記バッテリ型光源は、前記バッテリの残容量を表示する残量表示部と、前記照明ランプの点灯・消灯を行うスイッチ接点部及び前記残量表示部への電力の供給・停止を行なうスイッチ接点部を同じ導電部材によって同時にスイッチ操作できる電源スイッチ機構とから構成したことを特徴とする内視鏡。
【００４９】
（付記項２）細長な挿入部を有する内視鏡本体に着脱自在に接続し、この内視鏡本体に照明光を供給する照明ランプ及びこの照明ランプに電力を供給するバッテリを有するバッテリ型光源を備えた内視鏡において、
前記バッテリ型光源は、バッテリの残容量を表示する残量表示部と、前記照明ランプの点灯・消灯を行うスイッチ接点部及び前記残量表示部への電力の供給・停止を行なうスイッチ接点部を、同じ導電部材の接点部材によって接続可能とし、かつ，両スイッチ接点部が前記接点部材に対して回動可能に構成され、前記両スイッチ接点部側を回動させることにより同時に両スイッチ接点部をスイッチ操作できる電源スイッチ機構とから構成したことを特徴とする内視鏡。
【００５０】
（付記項３）細長な挿入部を有する内視鏡本体に着脱自在に接続し、この内視鏡本体に照明光を供給するバッテリ型光源とからなる内視鏡において、
前記内視鏡の先端部本体の湾曲部被覆部材の取り付け用の凹部を、吸引チャンネルの組付け位置より先端側に設けたことを特徴とする内視鏡。
【００５１】
（付記項４）細長な挿入部を有する内視鏡本体に着脱自在に接続し、この内視鏡本体に照明光を供給する照明ランプ及びこの照明ランプに電力を供給するバッテリを有するバッテリ型光源を備えた内視鏡において、
前記照明ランプを固定するランプ固定部を収容するランプ収納筒体部は、バッテリの残容量を表示する残量表示部用の負極接続片が、ランプ固定部の負極接点部材が先に接触する位置に配置されてなることを特徴とする内視鏡。
【００５２】
（付記項５）細長な挿入部を有する内視鏡本体に着脱自在に接続し、この内視鏡本体に照明光を供給する照明ランプ及びこの照明ランプに電力を供給するバッテリを有するバッテリ型光源を備えた内視鏡において、
前記バッテリ型光源の残量表示部の基板は、正極導電部と負極導電部を設けてなり、これら導電部と板状バネからなる接続片とを接触させることにより電力供給を行なうとともに、正極導電部と負極導電部を非対象に設けたことを特徴とする内視鏡。
【００５３】
（付記項６）細長な挿入部を有する内視鏡本体に着脱自在に接続し、この内視鏡本体に照明光を供給する照明ランプ及びこの照明ランプに電力を供給するバッテリを有するバッテリ型光源を備えた内視鏡において、
前記バッテリを収容するバッテリ収納部は、収容するバッテリの負極が表面の中心に対して負極接点片がずれた位置で接触する構造したことを特徴とする内視鏡。
【００５４】
【発明の効果】
以上説明したように本発明によれば、少ない部品点数かつ簡単な構成の電源スイッチ手段でもってランプ及び残量表示部の双方に同時に電力の供給・不供給できるので、ランプの点灯するのと同時にバッテリの残容量を正確に表示することができ、内視鏡を使用中、不意にバッテリ容量がなくなって操作中断することを防ぐことができる。
【００５５】
また、本発明によれば、電源スイッチ手段の構造が簡単なため、装置を大型化することなく実現可能であり、かつ、内視鏡の操作性を従来より悪化させることがない。
【図面の簡単な説明】
【図１】本発明の実施の形態に係る内視鏡の全体構成を示す説明図
【図２】同実施の形態に係る内視鏡の先端構成部の断面図
【図３】同実施の形態に係る内視鏡本体の操作部とバッテリ型光源を接続するときの位置関係を示す外観図
【図４】同実施の形態に係る内視鏡のバッテリ型光源の概略構成を示す斜視図
【図５】同実施の形態に係る内視鏡のバッテリ型光源を示す縦断面図
【図６】図５中のＣ−Ｃ線に沿う断面図
【図７】図５中のＡ−Ａ線に沿う断面図
【図８】同実施の形態に係る内視鏡のバッテリ型光源の収納筒と胴部の詳細を説明するための分解斜視図
【図９】図５のＢ−Ｂ線に沿う断面図であって電源スイッチ手段をオフにした状態にしたことを説明する説明図
【図１０】図５のＢ−Ｂ線に沿う断面図であって電源スイッチ手段をオン状態にしたことを説明する説明図
【符号の説明】
１…内視鏡
２…挿入部
３…操作部
４…接眼部
５…バッテリ型光源
１０…ランプ
３０…ランプ収納部
３０ａ…ランプホルダ
３０ｂ…ランプホルダ収納部
３１…バッテリ
４０…バッテリ収納部
４１…バッテリ収納部外装部材
４２…収納筒
４３…バッテリキャップ
４５…円錘バネ
４６…接点部材
４８…ネジ部
４７…負極接点片
５０…残量表示部
５１…残力表示発光体
５２…回路部
５３…透過部材
５４…基板
５４ａ…正極導電部
５４ｂ…負極導電部
５５…絶縁体
６１…負極接続片
６３…負極接点部材
６４…正極接続片
７１…正極接点部材
７２…接点バネ
７３…バネ受け部
【図１】
0003708387.tif 000002
【図２】
0003708387.tif 000003
【図３】
0003708387.tif 000004
【図４】
0003708387.tif 000005
【図５】
0003708387.tif 000006
【図６】
0003708387.tif 000007
【図７】
0003708387.tif 000008
【図８】
0003708387.tif 000009
【図９】
0003708387.tif 000010
【図１０】
0003708387.tif 000011